(57)【要約】【課題】コンテンツ記録時の環境状態を安価に表現することが可能な、信号処理装置、信号処理システム、信号処理方法、及びプログラムを提供する。【解決手段】コンテンツ信号に対し、前記コンテンツ信号の取得時の環境状態に応じた信号処理を施す信号処理部、を備える、信号処理装置。【選択図】図２
2014036247.tif 000002
【特許請求の範囲】
【請求項１】
コンテンツ信号に対し、前記コンテンツ信号の取得時の環境状態に応じた信号処理を施す信号処理部、
を備える、信号処理装置。
【請求項２】
前記環境状態は、湿度を含む、請求項１に記載の信号処理装置。
【請求項３】
前記環境状態は、温度、気圧、または風速に関する状態のうち少なくとも一つを含む、請求項２に記載の信号処理装置。
【請求項４】
前記信号処理部は、前記コンテンツ信号と、前記環境状態に基づいて生成されたコンテンツ信号と、を混合する、請求項３に記載の信号処理装置。
【請求項５】
前記信号処理部は、前記環境状態に基づいて、前記コンテンツ信号自体を加工する、請求項３に記載の信号処理装置。
【請求項６】
前記信号処理装置は、前記信号処理部により信号処理されたコンテンツ信号を記録媒体に記録する記録部をさらに備える、請求項３に記載の信号処理装置。
【請求項７】
前記記録部は、前記環境状態を示す情報を前記記録媒体に記録する、請求項６に記載の信号処理装置。
【請求項８】
前記記録部は、前記信号処理部により施された前記信号処理の内容を示す信号処理特定情報を前記記録媒体に記録する、請求項６に記載の信号処理装置。
【請求項９】
前記信号処理装置は、前記環境状態を検知するセンサをさらに備える、請求項７に記載の信号処理装置。
【請求項１０】
前記信号処理装置は、前記信号処理部により信号処理されたコンテンツ信号を出力する出力部をさらに備える、請求項３に記載の信号処理装置。
【請求項１１】
前記信号処理部は、記録媒体から読み出されるコンテンツ信号に対して、前記記録媒体から読み出される環境状態に応じた信号処理を施す、請求項１０に記載の信号処理装置。
【請求項１２】
前記信号処理装置は、前記信号処理の内容を示す信号処理特定情報を前記記録媒体から読み出す再生部をさらに備え、
前記再生部は、前記記録媒体から読み出されるコンテンツ信号に環境状態に応じた信号処理が施されている場合、前記信号処理特定情報に基づいて、前記コンテンツ信号から前記信号処理を取り除く機能を有する、請求項１１に記載の信号処理装置。
【請求項１３】
前記信号処理装置は、前記コンテンツ信号出力時における環境状態を検知するセンサをさらに備える、請求項１１に記載の信号処理装置。
【請求項１４】
前記信号処理部は、前記センサにより検知された環境状態と、前記記録媒体から読み出される環境状態との差分に応じて前記コンテンツ信号に対して前記信号処理を施す、請求項１３に記載の信号処理装置。
【請求項１５】
前記信号処理部は、前記センサにより検知された環境状態と、前記記録媒体から読み出される環境状態とが一致または類似する場合は、前記コンテンツ信号に対して信号処理を施さない、請求項１４に記載の信号処理装置。
【請求項１６】
前記コンテンツ信号は、映像信号または音声信号である、請求項３に記載の信号処理装置。
【請求項１７】
コンテンツ信号に対し、前記コンテンツ信号の取得時の環境状態に応じた信号処理を施す信号処理部と、
前記信号処理部により前記信号処理されたコンテンツ信号を出力する出力部と、
を備える、信号処理システム。
【請求項１８】
前記信号処理システムは、前記環境状態を検知するセンサをさらに備える、請求項１７に記載の信号処理システム。
【請求項１９】
コンテンツ信号に対し、前記コンテンツ信号の取得時の環境状態に応じた信号処理を施すこと、
を含む、信号処理方法。
【請求項２０】
コンピュータを、
コンテンツ信号に対し、前記コンテンツ信号の取得時の環境状態に応じた信号処理を施す信号処理部、
として機能させるための、プログラム。
【発明の詳細な説明】
【技術分野】
【０００１】
本開示は、信号処理装置、信号処理システム、信号処理方法、及びプログラムに関する。
【背景技術】
【０００２】
従来、デジタルビデオカメラなど、映像や音声などのコンテンツを記録・再生する装置やシステムが多数開発されている。このような記録・再生システムでは、コンテンツの再生時において、記録時の臨場感を視聴者により強く与えられることが望まれている。
【０００３】
例えば、特許文献１では、名勝地などの環境シーンの映像を再生させながら、当該環境シーン毎に記憶される環境情報に基づいて、居室内の温湿度、空気質、光などを調整する技術が開示されている。また、特許文献２では、映像および音声とともに、風速や気温などの環境情報も同時に記録し、映像や音声の再生時には、記録された環境情報に基づいて、空調機の駆動などを制御する技術が開示されている。
【先行技術文献】
【特許文献】
【０００４】
【特許文献１】特開２００５−０９８０４３号公報
【特許文献２】特開平８−１１１８３８号公報
【発明の概要】
【発明が解決しようとする課題】
【０００５】
しかしながら、従来技術では、コンテンツ記録時の環境状態を表現するために多大な費用が必要であった。例えば、従来技術では、温度や湿度の調整装置、または空調機などの、高価な大型の専用装置が必要だった。
【０００６】
そこで、本開示では、コンテンツ記録時の環境状態を安価に表現することが可能な、新規かつ改良された信号処理装置、信号処理システム、信号処理方法、及びプログラムを提供することにある。
【課題を解決するための手段】
【０００７】
上記課題を解決するために、本開示のある観点によれば、コンテンツ信号に対し、前記コンテンツ信号の取得時の環境状態に応じた信号処理を施す信号処理部、を備える、信号処理装置が提供される。
【０００８】
前記環境状態は、湿度を含んでもよい。
【０００９】
前記環境状態は、温度、気圧、または風速に関する状態のうち少なくとも一つを含んでもよい。
【００１０】
前記信号処理部は、前記コンテンツ信号と、前記環境状態に基づいて生成されたコンテンツ信号と、を混合してもよい。
【００１１】
前記信号処理部は、前記環境状態に基づいて、前記コンテンツ信号自体を加工してもよい。
【００１２】
前記信号処理装置は、前記信号処理部により信号処理されたコンテンツ信号を記録媒体に記録する記録部をさらに備えてもよい。
【００１３】
前記記録部は、前記環境状態を示す情報を前記記録媒体に記録してもよい。
【００１４】
前記記録部は、前記信号処理部により施された前記信号処理の内容を示す信号処理特定情報を前記記録媒体に記録してもよい。
【００１５】
前記信号処理装置は、前記環境状態を検知するセンサをさらに備えてもよい。
【００１６】
前記信号処理装置は、前記信号処理部により信号処理されたコンテンツ信号を出力する出力部をさらに備えてもよい。
【００１７】
前記信号処理部は、記録媒体から読み出されるコンテンツ信号に対して、前記記録媒体から読み出される環境状態に応じた信号処理を施してもよい。
【００１８】
前記信号処理装置は、前記信号処理の内容を示す信号処理特定情報を前記記録媒体から読み出す再生部をさらに備え、前記再生部は、前記記録媒体から読み出されるコンテンツ信号に環境状態に応じた信号処理が施されている場合、前記信号処理特定情報に基づいて、前記コンテンツ信号から前記信号処理を取り除く機能を有してもよい。
【００１９】
前記信号処理装置は、前記コンテンツ信号出力時における環境状態を検知するセンサをさらに備えてもよい。
【００２０】
前記信号処理部は、前記センサにより検知された環境状態と、前記記録媒体から読み出される環境状態との差分に応じて前記コンテンツ信号に対して前記信号処理を施してもよい。
【００２１】
前記信号処理部は、前記センサにより検知された環境状態と、前記記録媒体から読み出される環境状態とが一致または類似する場合は、前記コンテンツ信号に対して信号処理を施さなくてもよい。
【００２２】
前記コンテンツ信号は、映像信号または音声信号であってもよい。
【００２３】
また、上記課題を解決するために、本開示の別の観点によれば、コンテンツ信号に対し、前記コンテンツ信号の取得時の環境状態に応じた信号処理を施す信号処理部と、前記信号処理部により前記信号処理されたコンテンツ信号を出力する出力部と、を備える、信号処理システムが提供される。
【００２４】
前記信号処理システムは、前記環境状態を検知するセンサをさらに備えてもよい。
【００２５】
また、上記課題を解決するために、本開示の別の観点によれば、コンテンツ信号に対し、前記コンテンツ信号の取得時の環境状態に応じた信号処理を施すこと、を含む、信号処理方法が提供される。
【００２６】
また、上記課題を解決するために、本開示の別の観点によれば、コンピュータを、コンテンツ信号に対し、前記コンテンツ信号の取得時の環境状態に応じた信号処理を施す信号処理部、として機能させるための、プログラムが提供される。
【発明の効果】
【００２７】
以上説明したように本開示によれば、コンテンツ記録時の環境状態を安価に表現することができる。
【図面の簡単な説明】
【００２８】
【図１】本開示の実施形態による信号処理システムの構成を示した説明図である。
【図２】本開示の第１の実施形態による記録装置の構成を示した機能ブロック図である。
【図３】本開示の実施形態による音量変換テーブルの一例を示した説明図である。
【図４】本開示の実施形態による音量変換テーブルの一例を示した説明図である。
【図５】本開示の実施形態による音量変換テーブルの一例を示した説明図である。
【図６】本開示の実施形態による音量変換テーブルの一例を示した説明図である。
【図７】本開示の第１の実施形態による再生装置の構成を示した機能ブロック図である。
【図８】本開示の第１の実施形態による動作を示したシーケンス図である。
【図９】本開示の第２の実施形態による記録装置の構成を示した機能ブロック図である。
【図１０】本開示の第２の実施形態による再生装置の構成を示した機能ブロック図である。
【図１１】本開示の第２の実施形態による動作を示したシーケンス図である。
【図１２】本開示の第３の実施形態による再生装置の構成を示した機能ブロック図である。
【図１３】本開示の第３の実施形態による動作を示したシーケンス図である。
【図１４】本開示の第３の実施形態によるＳ３１１における動作を詳細に示したフローチャートである。
【図１５】本開示の第４の実施形態による記録装置の構成を示した機能ブロック図である。
【図１６】本開示の実施形態による映像変換テーブルの一例を示した説明図である。
【図１７】本開示の実施形態による映像変換テーブルの一例を示した説明図である。
【図１８】本開示の第５の実施形態による再生装置の構成を示した機能ブロック図である。
【図１９】本開示の第６の実施形態による再生装置の構成を示した機能ブロック図である。
【発明を実施するための形態】
【００２９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００３０】
また、以下に示す項目順序に従って当該「発明を実施するための形態」を説明する。
１．信号処理システムの基本構成
２．各実施形態の詳細な説明
２−１．第１の実施形態
２−２．第２の実施形態
２−３．第３の実施形態
２−４．第４の実施形態
２−５．第５の実施形態
２−６．第６の実施形態
３．まとめ
【００３１】
＜１．信号処理システムの基本構成＞
本開示は、一例として「２−１．第１の実施形態」から「２−６．第６の実施形態」において詳細に説明するように、多様な形態で実施され得る。以下では、まず、このような各実施形態において共通する信号処理システムの基本構成について図１を参照して説明する。
【００３２】
図１は、本開示の各実施形態による信号処理システムの構成を示した説明図である。図１に示したように、本開示の実施形態による信号処理システムは、記録装置１０、再生装置２０、および記録媒体３０を含む。
【００３３】
図１に示したように、記録装置１０（信号処理装置）は、撮像素子１２および集音素子１４を有する。撮像素子１２は、外部の映像を、レンズを通してＣＣＤ（Ｃｈａｒｇｅ  Ｃｏｕｐｌｅｄ  Ｄｅｖｉｃｅ）撮像板などの撮像素子に結像させ、電気信号である映像信号（コンテンツ信号）に変換する。また、集音素子１４は、外部の音声を集音し、電気信号である音声信号（コンテンツ信号）に変換する。
【００３４】
また、記録装置１０は、撮像素子１２を通して変換した映像信号、または集音素子１４を通して変換した音声信号を記録媒体３０に記録する。また、記録装置１０は、図１には図示していないが、湿度センサ、温度センサ、気圧センサ、風速センサなどの各種センサを有してもよい。これらのセンサは、例えば記録装置１０の外部の湿度や温度などの環境状態を検知する。
【００３５】
また、図１に示したように、再生装置２０（信号処理装置）は、ディスプレイ２２、スピーカー２４ａ、およびスピーカー２４ｂを備える。なお、図１では、スピーカー２４ａとスピーカー２４ｂとを区別して記載しているが、スピーカー２４ａとスピーカー２４ｂは実質的に同一の機能構成を有するので、本明細書では以後、これらを総称してスピーカー２４と記載する。
【００３６】
ディスプレイ２２は、再生装置２０に入力される映像信号を可視光に変換して、映像を出力する装置である。ディスプレイ２２は、例えばＣＲＴ（Ｃａｔｈｏｄｅ  Ｒａｙ  Ｔｕｂｅ）ディスプレイ、液晶ディスプレイ、有機ＥＬ（Ｅｌｅｃｔｒｏ−Ｌｕｍｉｎｅｓｃｅｎｃｅ）ディスプレイ、またはプラズマディスプレイであってもよい。また、スピーカー２４は、再生装置２０に入力される音声信号を物理振動に変換して、音声を出力する装置である。
【００３７】
また、再生装置２０は、記録媒体３０に記録された映像信号または音声信号を読み出す機能を有する。なお、再生装置２０は、記録装置１０とは異なる装置であってもよいし、記録装置１０の中に組み込まれてもよい。
【００３８】
また、図１では、記録装置１０として携帯型のビデオカメラを、再生装置２０としてテレビジョンをそれぞれ図示しているが、本開示はかかる例に限定されない。例えば、記録装置１０または再生装置２０は、スマートフォンであってもよいし、タブレット型端末であってもよい。また、再生装置２０は、ＰＣ（Ｐｅｒｓｏｎａｌ  Ｃｏｍｐｕｔｅｒ）であってもよい。
【００３９】
また、記録媒体３０は、映像信号や音声信号などを記録する媒体である。記録媒体３０は、例えば光ディスク、磁気ディスク、フラッシュメモリ、または光磁気ディスクであってもよい。
【００４０】
なお、記録媒体３０は、記録装置１０または再生装置２０の中に組み込まれてもよいし、記録装置１０および再生装置２０から着脱可能であってもよい。
【００４１】
以上、本開示の各実施形態による信号処理システムの構成について説明した。続いて、本開示の各実施形態について順次詳細に説明する。後述するように、本開示の各実施形態による記録装置１０（信号処理装置）または再生装置２０（信号処理装置）は、コンテンツ記録時の環境状態を安価に表現することができる。
【００４２】
＜２．各実施形態の詳細な説明＞
［２−１．第１の実施形態］
（２−１−１−１．記録装置の構成）
図２は、第１の実施形態による記録装置１０の構成を示す機能ブロック図である。図２に示したように、第１の実施形態による記録装置１０は、撮像素子１００、集音素子１０２、センサ部１０４（センサ）、音声信号生成部１１２、音声処理部１１４（信号処理部）、映像記録部１１６、および音声記録部１１８（記録部）を有する。
【００４３】
撮像素子１００は、レンズを通して入力される可視光を結像し、映像信号に変換する。また、集音素子１０２は、外部の音声を集音し、音声信号に変換する。
【００４４】
センサ部１０４は、図２に示したように、湿度センサ１０６、温度センサ１０８、およびその他センサ１１０を有し、外部の環境状態を検知する。具体的には、湿度センサ１０６は、外部の湿度に関する状態を検知する。また、温度センサ１０８は、外部の温度に関する状態を検知する。また、その他センサ１１０は、湿度および温度以外の環境状態、例えば気圧や風速などに関する状態を検知する。
【００４５】
なお、環境状態は、湿度、温度、気圧、風速、磁気、または臭いに関する状態であってもよいし、コンテンツの記録者の脈拍などの生体に関する状態であってもよい。
【００４６】
音声信号生成部１１２は、センサ部１０４により検知された環境状態に基づいて、所定の生成方法により音声信号を生成する。例えば、音声信号生成部１１２は、１００Ｈｚなどの、人間の可聴領域である２０Ｈｚ以上の所定の周波数の正弦波を生成してもよい。また、音声信号生成部１１２は、２０Ｈｚ〜１００Ｈｚなどの所定の変動幅を有する有色ノイズを生成してもよい。また、音声信号生成部１１２は、所定の音量変換テーブルを用いて、生成する音の音量を定めてもよい。この音量変換テーブルは、例えば図３〜図７に示す音量変換テーブルであってもよい。
【００４７】
図３は、センサ部１０４による検知結果から算出される不快指数と、生成する音の音量とを対応づける音量変換テーブルの例である。なお、音声信号生成部１１２は、この不快指数を、湿度センサ１０６により検知される湿度と、温度センサ１０８により検知される温度と、に基づいて算出してもよい。例えば、音声信号生成部１１２は、湿度をＨ（％）、温度をＴｄ（℃）として、数式（１）のような算式を用いて、不快指数を算出してもよい。
【００４８】
【数１】
2014036247.tif 000003
【００４９】
例えば、湿度が７０％、温度が３０℃とそれぞれ検知される場合は、音声信号生成部１１２は、この数式（１）により、不快指数を８１．３８と算出する。このため、音声信号生成部１１２は、図３に示した音量変換テーブルにより、音量を−５０ｄＢＦＳ（ｄｅｃｉｂｅｌｓ  ｒｅｌａｔｉｖｅ  ｔｏ  ｆｕｌｌ  ｓｃａｌｅ）と定めてもよい。
【００５０】
また、図４は、温度センサ１０８により検知される温度と、生成する音の音量とを対応づける音量変換テーブルの例である。例えば、気温が２３℃と検知される場合は、音声信号生成部１１２は、図４に示した音量変換テーブルにより、音量を−５５ｄＢＦＳと定めてもよい。
【００５１】
また、図５は、その他センサ１１０により検知される気圧と、生成する音の音量とを対応づける音量変換テーブルの例である。例えば、気圧が１０２０ｈＰａと検知される場合は、音声信号生成部１１２は、図５に示した音量変換テーブルにより、音量を−４５ｄＢＦＳと定めてもよい。
【００５２】
また、図６は、その他センサ１１０により検知される風速と、生成する音の音量とを対応づける音量変換テーブルの例である。例えば、風速が１５．５ｍ／ｓと検知される場合は、音声信号生成部１１２は、図６に示した音量変換テーブルにより、音量を−５０ｄＢＦＳと定めてもよい。
【００５３】
音声処理部１１４は、例えば集音素子１０２により変換される音声信号に対し、当該音声信号の取得時の環境状態に応じた信号処理を施す。
【００５４】
より具体的には、音声処理部１１４は、例えば集音素子１０２により変換される音声信号と、上記の環境状態に基づいて、例えば音声信号生成部１１２により生成された音声信号と、を混合してもよい。また、音声処理部１１４は、上記の環境状態に基づいて、例えば集音素子１０２により変換される音声信号自体を加工してもよい。
【００５５】
例えば、音声処理部１１４は、湿度センサ１０６により検知される湿度に応じて、集音素子１０２により変換された音声信号に対して、低音域を強調あるいは抑制してもよい。また、音声処理部１１４は、検知される湿度が所定の値よりも低い場合には、集音素子１０２により変換された音声信号に対して、高音域を強調してもよい。また、音声処理部１１４は、湿度センサ１０６により検知される湿度と、温度センサ１０８により検知される温度と、から算出される不快指数に応じて、上記の音声信号に対して、低音域を強調あるいは抑制してもよい。また、音声処理部１１４は、算出される不快指数が所定の値よりも高い場合には、集音素子１０２により変換された音声信号に対して、低音域を強調してもよい。
【００５６】
映像記録部１１６は、撮像素子１００により変換された映像信号を記録媒体３０に記録する。
【００５７】
音声記録部１１８は、音声処理部１１４により信号処理された音声信号を記録媒体３０に記録する。また、音声記録部１１８は、音声処理部１１４により施された信号処理の内容を示す信号処理特定情報を記録媒体３０に記録してもよい。例えば、音声処理部１１４が集音素子１０２により変換された音声信号と、音声信号生成部１１２により生成された音声信号と、を混合処理した場合は、音声記録部１１８は、この混合処理の内容を信号処理特定情報として記録してもよい。
【００５８】
（２−１−１−２．再生装置の構成）
次に、図７を参照して、第１の実施形態による再生装置２０の構成について説明する。図７に示したように、第１の実施形態による再生装置２０は、映像再生部２００、音声再生部２０２（再生部）、映像出力部２０４、および音声出力部２０６を有する。
【００５９】
映像再生部２００は、記録媒体３０から映像信号を読み出す。
【００６０】
音声再生部２０２は、記録媒体３０から音声信号を読み出す。また、音声再生部２０２は、上述した信号処理特定情報を記録媒体３０から読み出してもよい。さらに、音声再生部２０２は、記録媒体３０から読み出される音声信号に環境状態に応じた信号処理が施されている場合、この信号処理特定情報に基づいて、音声信号から当該信号処理を取り除く機能を有してもよい。この機能を有する効果として、音声再生部２０２は、記録媒体３０から読み出される音声信号に環境状態に応じた信号処理が施されている場合であっても、当該信号処理を取り除くことにより、信号処理前の音声信号だけを取り出すことが可能になる。
【００６１】
映像出力部２０４は、映像再生部２００により読み出された映像信号を、可視光に変換して、映像を出力する。また、音声出力部２０６は、音声再生部２０２により読み出された音声信号を物理振動に変換して、音声を出力する。
【００６２】
（２−１−２．第１の実施形態による動作）
以上、第１の実施形態による構成について説明した。続いて、第１の実施形態による動作について説明する。図８は、第１の実施形態による動作を示すシーケンス図である。
【００６３】
最初に、記録装置１０の動作について説明する。図８に示したように、記録装置１０は、まず、撮像素子１２による撮像および集音素子１４による集音を行う（Ｓ１０１）。より具体的には、撮像素子１００が外部の映像を撮像し、映像信号に変換するとともに、集音素子１０２が外部の音声を集音し、音声信号に変換する。
【００６４】
続いて、センサ部１０４が、現在つまりコンテンツ記録時における外部の環境状態を検知する（Ｓ１０３）。より具体的には、湿度センサ１０６が、外部の湿度に関する状態を検知する。また、温度センサ１０８が、外部の温度に関する状態を検知する。また、その他センサ１１０が、外部の気圧または風速などに関する状態を検知する。
【００６５】
続いて、音声処理部１１４が、センサ部１０４により検知された環境状態に応じて、集音した音声に信号処理を行う（Ｓ１０５）。より具体的には、音声処理部１１４は、以下の２種類のいずれかの方法により信号処理を行う。
【００６６】
第１の方法では、まず、音声信号生成部１１２が、センサ部１０４により検知された環境状態に基づいて、上述した所定の生成方法により音声信号を生成する。そして、音声処理部１１４は、集音素子１０２により変換された音声信号と、音声信号生成部１１２により生成された音声信号と、を混合する。一方、第２の方法では、音声処理部１１４は、センサ部１０４により検知された環境状態に基づいて、集音素子１０２により変換された音声信号自体を、上述した所定の加工方法により加工する。
【００６７】
続いて、記録装置１０は、映像信号、および信号処理後の音声信号を記録媒体３０に記録する（Ｓ１０７）。より具体的には、映像記録部１１６が、撮像素子１００により変換された映像信号を記録媒体３０に記録するとともに、音声記録部１１８が、音声処理部１１４により信号処理を施された音声信号を記録媒体３０に記録する。なお、音声記録部１１８は、上述した信号処理特定情報を記録媒体３０に記録してもよい。
【００６８】
次に、再生装置２０の動作について説明する。図８に示したように、再生装置２０は、まず、記録媒体３０から映像信号および信号処理後の音声信号を読み出す（Ｓ１０９）。より具体的には、映像再生部２００が、記録媒体３０から映像信号を読み出すとともに、音声再生部２０２が、記録媒体３０から音声信号を読み出す。なお、音声再生部２０２は、上述した信号処理特定情報を記録媒体３０から読み出してもよい。また、音声再生部２０２は、記録媒体３０から読み出される音声信号に環境状態に応じた信号処理が施されている場合、当該信号処理特定情報に基づいて、音声信号から信号処理を取り除いてもよい。
【００６９】
その後、再生装置２０は、映像および音声を出力する（Ｓ１１１）。より具体的には、映像出力部２０４は、映像再生部２００により読み出された映像信号を可視光に変換して、映像を出力する。また、音声出力部２０６は、音声再生部２０２により読み出された音声信号を物理振動に変換して、音声を出力する。
【００７０】
（２−１−３．第１の実施形態による効果）
以上説明したように、第１の実施形態によれば、記録装置１０は、集音した音声信号に対して、音声信号の取得時に検知される、湿度や温度などの環境状態に応じた信号処理を施した後、信号処理後の音声信号と、映像信号とを記録媒体３０に記録する。また、再生装置２０は、記録媒体３０から映像信号および音声信号を読み出し、それぞれ映像および音声に変換した後出力する。このため、高価な専用装置を必要とせずに、コンテンツ記録時の環境状態を安価に表現することができる。
【００７１】
例えば、記録装置１０および再生装置２０が一般の家庭用として利用される場合、ユーザは、コンテンツ記録時の環境状態を音声表現により表現することができ、家族または友人と一緒に楽しむことができる。また、例えば、映画のような、他人が撮影したコンテンツに関して、ユーザは、コンテンツ再生時に、撮影時の環境状態を感じることができ、楽しむことができる。
【００７２】
また、再生装置２０として、市販のテレビジョンなどの一般的な動画再生装置を用いることができるので、再生システムを安価かつ手軽に構築することができる。
【００７３】
また、再生装置２０の機能は、記録装置１０に組み込むことが可能であるので、一台の記録装置１０だけで、上述した機能を全て実現することもできる。
【００７４】
また、記録装置１０が、信号処理特定情報を記録媒体３０に記録し、再生装置２０が、当該信号処理特定情報に基づいて、音声信号から信号処理を取り除く機能を有する。このため、ユーザは、信号処理済みの音声信号と、信号処理前の音声信号とを自由に選択して出力させることができる。
【００７５】
［２−２．第２の実施形態］
以上、第１の実施形態について説明した。上述したように、第１の実施形態では、記録装置１０が、集音した音声信号に対して、音声信号の取得時の環境状態に応じた信号処理を施す。次に説明するように、第２の実施形態によれば、再生装置２０が、記録媒体３０から読み出される音声信号に対して、記録媒体３０に記録された環境状態に応じた信号処理を施した後、出力することができる。
【００７６】
（２−２−１−１．記録装置の構成）
図９は、第２の実施形態による記録装置１０の構成を示す機能ブロック図である。図９に示したように、第２の実施形態による記録装置１０は、第１の実施形態と比較して、音声信号生成部１１２と音声処理部１１４とを含まない代わりに、センサ情報記録部１２０（記録部）を新たに含む。
【００７７】
センサ情報記録部１２０は、音声信号の取得時の環境状態を示す情報を記録媒体３０に記録する。より具体的には、センサ情報記録部１２０は、センサ部１０４により検知された環境状態を示す情報を記録媒体３０に記録する。
【００７８】
（２−２−１−２．再生装置の構成）
次に、図１０を参照して、第２の実施形態による再生装置２０の構成について説明する。図１０に示したように、第２の実施形態による再生装置２０は、第１の実施形態に含まれる構成要素に加えて、センサ情報再生部２０８、音声信号生成部２１２、および音声処理部２１４（信号処理部）を有する。
【００７９】
センサ情報再生部２０８は、環境状態を示す情報を記録媒体３０から読み出す。
【００８０】
音声信号生成部２１２は、センサ情報再生部２０８により読み出された環境状態に基づいて、所定の生成方法により音声信号を生成する。なお、所定の生成方法に関しては、上述した、第１の実施形態における音声信号生成部１１２による生成方法と同様であってもよい。
【００８１】
音声処理部２１４は、例えば音声再生部２０２により読み出される音声信号に対し、当該音声信号の取得時の環境状態に応じた信号処理を施す。
【００８２】
より具体的には、音声処理部２１４は、例えば音声再生部２０２により読み出される音声信号と、例えばセンサ情報再生部２０８により読み出される環境状態に基づいて生成される音声信号と、を混合してもよい。また、音声処理部２１４は、当該環境状態に基づいて、例えば音声再生部２０２により読み出される音声信号自体を、所定の加工方法により加工してもよい。なお、所定の加工方法に関しては、上述した、第１の実施形態における音声処理部１１４による加工方法と同様であってもよい。
【００８３】
音声出力部２０６（出力部）は、音声処理部２１４により信号処理された音声信号を出力する。なお、その他の構成要素の機能は、第１の実施形態と同様であるので、説明を省略する。
【００８４】
（２−２−２．第２の実施形態による動作）
以上、第２の実施形態による構成について説明した。続いて、第２の実施形態による動作について説明する。図１１は、第２の実施形態による動作を示すシーケンス図である。
【００８５】
最初に、記録装置１０の動作について説明する。なお、Ｓ２０１〜Ｓ２０３の動作に関しては、第１の実施形態（Ｓ１０１〜Ｓ１０３）と同様である。従って、ここでは説明を省略する。
【００８６】
Ｓ２０３の後、記録装置１０は、撮像した映像信号と、集音した音声信号と、検知した環境状態を示す情報と、を記録媒体３０に記録する（Ｓ２０５）。より具体的には、映像記録部１１６が、撮像素子１００により変換された映像信号を記録媒体３０に記録する。また、音声記録部１１８が、集音素子１０２により変換された音声信号を記録媒体３０に記録する。また、センサ情報記録部１２０が、センサ部１０４により検知された環境状態を示す情報を記録媒体３０に記録する。
【００８７】
次に、再生装置２０の動作について説明する。図１１に示したように、再生装置２０は、まず、記録媒体３０から映像信号、音声信号、および環境状態を示す情報を読み出す（Ｓ２０７）。より具体的には、映像再生部２００が、記録媒体３０から映像信号を読み出す。また、音声再生部２０２が、記録媒体３０から音声信号を読み出す。また、センサ情報再生部２０８が、環境状態を示す情報を記録媒体３０から読み出す。
【００８８】
続いて、音声処理部２１４が、センサ情報再生部２０８により読み出された環境状態に応じて、音声再生部２０２により読み出された音声信号に対して信号処理を施す（Ｓ２０９）。より具体的には、音声処理部２１４は、以下の２種類のいずれかの方法により信号処理を行う。
【００８９】
第１の方法では、まず、音声信号生成部２１２が、センサ情報再生部２０８により読み出された環境状態に基づいて、上述した所定の生成方法により音声信号を生成する。そして、音声処理部２１４は、音声再生部２０２により読み出された音声信号と、音声信号生成部２１２により生成された音声信号と、を混合する。一方、第２の方法では、音声処理部２１４は、センサ情報再生部２０８により読み出された環境状態に基づいて、音声再生部２０２により読み出された音声信号自体を、上述した所定の加工方法により加工する。
【００９０】
その後、再生装置２０は、映像および音声を出力する（Ｓ２１１）。より具体的には、映像出力部２０４は、映像再生部２００により読み出された映像信号を可視光に変換して、映像を出力する。また、音声出力部２０６は、音声処理部２１４により信号処理を施された音声信号を物理振動に変換して、音声を出力する。
【００９１】
（２−２−３．第２の実施形態による効果）
以上説明したように、第２の実施形態によれば、記録装置１０は、記録時に検知される、湿度や温度などの環境状態を示す情報と、映像信号と、音声信号と、を記録媒体３０に記録する。また、再生装置２０は、記録媒体３０から読み出された音声信号に対して、記録媒体３０から読み出された環境状態に応じた信号処理を施した後、信号処理後の音声信号を音声として出力する。このため、再生装置２０のユーザは、コンテンツ再生時の状況や気分に応じて、様々な音声信号処理方法を適用してコンテンツを再生することができ、楽しむことができる。
【００９２】
また、一台の再生装置２０を複数のユーザが利用する場合、各ユーザは自分の趣向に合った音声信号処理方法を適用して、コンテンツを再生することができる。
【００９３】
［２−３．第３の実施形態］
以上、第２の実施形態について説明した。次に第３の実施形態について説明する。後述するように、第３の実施形態によれば、記録時の環境状態だけでなく、再生時の環境状態も反映させて、音声表現の種類や強弱を変化させることができる。
【００９４】
（２−３−１−１．記録装置の構成）
第３の実施形態による記録装置１０の構成は、第２の実施形態と同様である。従って、ここでは説明を省略する。
【００９５】
（２−３−１−２．再生装置の構成）
図１２は、第３の実施形態による再生装置２０の構成を示す機能ブロック図である。図１２に示したように、第３の実施形態による再生装置２０は、第２の実施形態に含まれる構成要素に加えて、センサ部２１６（センサ）を有する。
【００９６】
センサ部２１６は、湿度センサ２１８、温度センサ２２０、およびその他センサ２２２を有し、音声信号出力時における環境状態を検知する。具体的には、湿度センサ２１８は、音声信号出力時における、湿度に関する状態を検知する。また、温度センサ２２０は、音声信号出力時における、温度に関する状態を検知する。また、その他センサ２２２は、音声信号出力時における、湿度および温度以外、例えば気圧や風速などの環境状態を検知する。
【００９７】
音声処理部２１４は、センサ部２１６により検知された環境状態と、記録媒体３０から読み出される環境状態との差分に応じて音声信号に対して信号処理を施す。また、音声処理部２１４は、センサ部２１６により検知された環境状態と、記録媒体３０から読み出される環境状態とが一致または類似する場合は、音声信号に対して信号処理を施さない。
【００９８】
なお、上述した音声処理部２１４の機能の詳細については後に説明する。また、その他の構成要素の機能は、第２の実施形態と同様であるので、説明を省略する。
【００９９】
（２−３−２．第３の実施形態による動作）
以上、第３の実施形態による構成について説明した。続いて、第３の実施形態による動作について説明する。図１３は、第３の実施形態による動作を示すシーケンス図である。
【０１００】
なお、記録装置１０の動作（Ｓ３０１〜Ｓ３０５）に関しては、第２の実施形態の動作（Ｓ２０１〜Ｓ２０５）と同様である。従って、ここでは説明を省略する。
【０１０１】
次に、再生装置２０の動作について説明する。図１３に示したように、再生装置２０は、まず、Ｓ２０７と同様にして、記録媒体３０から映像信号、音声信号、および環境状態を示す情報を読み出す（Ｓ３０７）。
【０１０２】
続いて、センサ部２１６は、現在つまりコンテンツ再生時における外部の環境状態を検知する（Ｓ３０９）。より具体的には、湿度センサ２１８が、外部の湿度に関する状態を検知する。また、温度センサ２２０が、外部の温度に関する状態を検知する。また、その他センサ２２２が、外部の気圧または風速などに関する状態を検知する。
【０１０３】
続いて、音声処理部２１４は、センサ部２１６により検知された環境状態と、記録媒体３０から読み出された環境状態との比較結果に基づいて、記録媒体３０から読み出された音声信号に対して信号処理を施す（Ｓ３１１）。
【０１０４】
ここで、図１４を参照して、Ｓ３１１における再生装置２０の動作についてより詳細に説明する。なお、Ｓ３１１における再生装置２０は、下記の２種類の動作のうちいずれかの動作を行ってもよい。
【０１０５】
‐第１の動作‐
第１の動作では、図１４に示したように、まず、音声処理部２１４は、センサ部２１６により検知された環境状態と、センサ情報再生部２０８により読み出された環境状態との差分を算出し（Ｓ３５１）、差分があるか否かを判定する（Ｓ３５３）。
【０１０６】
例えば、音声処理部２１４は、まず、湿度センサ２１８により検知される湿度と、温度センサ２２０により検知される温度とに基づいて不快指数（Ａ）を算出し、かつ、センサ情報再生部２０８により読み出された湿度および温度に基づいて不快指数（Ｂ）を算出する。そして、音声処理部２１４は、不快指数（Ａ）と不快指数（Ｂ）との差分を算出することにより、Ｓ３５３の判定を行ってもよい。
【０１０７】
また、音声処理部２１４は、湿度と温度とを別々に比較してもよい。より具体的には、音声処理部２１４は、湿度センサ２１８により検知される湿度と、センサ情報再生部２０８により読み出された湿度とを比較し、かつ、温度センサ２２０により検知される温度と、センサ情報再生部２０８により読み出された温度とを比較してもよい。そして、音声処理部２１４は、温度と湿度の両方、または少なくとも一方に差分があるか否かにより、Ｓ３５３の判定を行ってもよい。
【０１０８】
また、音声処理部２１４は、上記の不快指数と、気圧などの他の環境状態とを組み合わせて比較してもよい。より具体的には、音声処理部２１４は、まず、上述したように不快指数（Ａ）と不快指数（Ｂ）とを算出し、差分があるか否かを判定する。次に、音声処理部２１４は、その他センサ２２２により検知される気圧と、センサ情報再生部２０８により読み出された気圧とを比較する。そして、音声処理部２１４は、不快指数と気圧の両方に差分があるか否かにより、Ｓ３５３の判定を行ってもよい。
【０１０９】
なお、Ｓ３５１〜Ｓ３５３の変形例として、音声処理部２１４は、センサ部２１６により検知される環境状態と、センサ情報再生部２０８により読み出された環境状態と、を比較し（Ｓ３５１）、両者が所定の基準に基づいて類似しているか否かを判定してもよい（Ｓ３５３）。
【０１１０】
続いて、差分が算出された場合、または両者が類似していると判断された場合は（Ｓ３５３：Ｙｅｓ）、音声処理部２１４は、算出された差分に応じて、音声再生部２０２により読み出された音声信号自体を、上述した所定の加工方法により加工する（Ｓ３５５）。一方、差分が算出されない場合、または両者が類似していないと判断された場合は（Ｓ３５３：Ｎｏ）、音声処理部２１４は、音声再生部２０２により読み出された音声信号に対して信号処理を施さない。
【０１１１】
‐第２の動作‐
次に、第２の動作について説明する。第２の動作では、まず、音声信号生成部２１２は、センサ部２１６により検知された環境状態と、センサ情報再生部２０８により読み出された環境状態との差分を算出し（Ｓ３５１）、差分があるか否かを判定する（Ｓ３５３）。または、音声信号生成部２１２は、センサ部２１６により検知された環境状態と、センサ情報再生部２０８により読み出された環境状態とを比較し（Ｓ３５１）、両者が類似しているか否かを判定してもよい（Ｓ３５３）。なお、Ｓ３５１〜Ｓ３５３における、差分の算出方法および比較方法に関しては、上述した第１の動作による方法と同様であってもよい。
【０１１２】
続いて、差分が算出された場合、または両者が類似していると判断された場合は（Ｓ３５３：Ｙｅｓ）、音声信号生成部２１２は、算出された差分に応じて、上述した所定の生成方法により音声信号を生成する。そして、音声処理部２１４は、音声再生部２０２により読み出された音声信号と、音声信号生成部２１２により生成された音声信号と、を混合する（Ｓ３５５）。一方、差分が算出されない場合、または両者が類似していないと判断された場合は（Ｓ３５３：Ｎｏ）、音声処理部２１４は、音声再生部２０２により読み出された音声信号に対して信号処理を施さない。
【０１１３】
以上、Ｓ３１１における再生装置２０の動作について説明した。次に、図１３を再度参照して、Ｓ３１１より後の動作について説明する。
【０１１４】
その後、再生装置２０は、Ｓ２１１と同様にして、映像および音声を出力する（Ｓ３１３）。
【０１１５】
（２−３−３．第３の実施形態による効果）
以上説明したように、第３の実施形態によれば、再生装置２０は、コンテンツ再生時に検知される環境状態と、記録媒体３０から読み出される環境状態との差分に基づいて、記録媒体３０から読み出される音声信号に対して信号処理を施す。そして、再生装置２０は、信号処理後の音声信号を音声として出力するとともに、記録媒体から読み出される映像信号を映像として出力する。従って、記録時の環境状態だけでなく、再生時の環境状態も反映させて、音声表現の種類や強弱を変化させることができる。
【０１１６】
また、再生装置２０を利用するユーザは、コンテンツの再生を通して、コンテンツ記録時の環境状態と、コンテンツ再生時の環境状態との差異を感じることができる。このため、例えばユーザは、個人で撮影したコンテンツに関して、当該コンテンツ再生時に、撮影時の環境状態との差異を感じることができ、楽しむことができる。
【０１１７】
また、ユーザは、コンテンツ再生時に、音声信号に信号処理が施されない場合には、記録時の環境状態が、再生時と同様であることを感じることができる。
【０１１８】
［２−４．第４の実施形態］
以上、第３の実施形態について説明した。次に第４の実施形態について説明する。後述するように、第４の実施形態によれば、コンテンツ再生時に、映像表現の種類や強弱を通して、コンテンツ記録時の環境状態をユーザに伝えることができる。
【０１１９】
（２−４−１−１．記録装置の構成）
図１５は、第４の実施形態による記録装置１０の構成を示す機能ブロック図である。図１５に示したように、第４の実施形態による記録装置１０は、第１の実施形態と比較して、映像信号生成部１２４と映像処理部１２６（信号処理部）とを新たに含む。なお、図１５には図示していないが、第４の実施形態による記録装置１０は、音声信号生成部１１２と音声処理部１１４とを含んでもよい。
【０１２０】
映像信号生成部１２４は、センサ部１０４により検知された環境状態に基づいて、所定の生成方法により映像信号を生成する。例えば、映像信号生成部１２４は、温度センサ１０８により検知される温度が一定温度よりも高い場合に、検知される温度に応じて、陽炎のような映像効果を生成してもよい。なお、陽炎は、光の屈折により映像が揺らぐように見える現象であるので、映像信号生成部１２４は、陽炎の映像効果として、時間方向に画像を揺らがせるフィルタを生成してもよい。また、映像信号生成部１２４は、例えば図１７に示すような所定の映像効果変換テーブルを用いて、生成する映像効果の程度を定めてもよい。
【０１２１】
図１７は、温度センサ１０８により検知される温度と、陽炎の映像効果の程度とを対応づける映像効果変換テーブルの例である。例えば、気温が２７℃と検知される場合は、映像信号生成部１２４は、図１７に示した映像効果変換テーブルにより、陽炎の映像効果の程度を”３”と定めてもよい。
【０１２２】
映像処理部１２６は、例えば撮像素子１００により変換される映像信号に対し、当該映像信号の取得時の環境状態に応じた信号処理を施す。
【０１２３】
より具体的には、映像処理部１２６は、例えば撮像素子１００により変換される映像信号と、上記の環境状態に基づいて、例えば映像信号生成部１２４により生成される映像信号と、を混合してもよい。また、映像処理部１２６は、上記の環境状態に基づいて、例えば撮像素子１００により変換される映像信号自体を加工してもよい。
【０１２４】
例えば、映像処理部１２６は、撮像素子１００により変換された映像信号に対して、映像の明度を変化させてもよい。また、映像処理部１２６は、図１６に示すような所定の明度調整テーブルを用いて、明度の変化量を定めてもよい。図１６は、センサ部１０４による検知結果から算出される不快指数と、ＡＥ（Ａｕｔｏ  Ｅｘｐｏｓｕｒｅ）シフト量とを対応づける明度調整テーブルの例である。例えば、不快指数が８７と算出される場合は、映像信号生成部１２４は、図１６に示した明度調整テーブルにより、ＡＥシフト量を”−０．７５ＥＶ（Ｅｘｐｏｓｕｒｅ  Ｖａｌｕｅ）”と定めてもよい。
【０１２５】
また、映像処理部１２６は、上記の映像信号に対して、靄がかかっていると知覚されるように加工してもよい。なお、靄は、空気中に小さい水滴などが浮遊し、遠方が灰色にかすんで見える状態であるので、映像処理部１２６は、例えば、上記の映像信号における各画素に対して、隣接する画素と混合させる画像処理を行ってもよい。また、映像処理部１２６は、上記の映像信号に対して、映像がにじんでいると知覚されるように加工してもよい。なお、映像がにじんでいると知覚される場合は、映像中の物体の輪郭がぼやけて知覚される。このため、映像処理部１２６は、映像をにじませる加工として、上記の映像信号における各画素に対して、所定の広さを有する隣接領域の画素と混合させる画像処理を行ってもよい。
【０１２６】
また、映像処理部１２６は、上記の映像信号に対して、映像がぼやけると知覚されるように加工してもよい。この場合、映像処理部１２６は、例えば、上記の映像信号に対して、所定のローパスフィルタをかける画像処理を行ってもよい。
【０１２７】
映像記録部１１６（記録部）は、映像処理部１２６により信号処理された映像信号を記録媒体３０に記録する。また、映像記録部１１６は、映像処理部１２６により施された信号処理の内容を示す信号処理特定情報を記録媒体３０に記録してもよい。例えば、映像処理部１２６により、撮像素子１００により変換された映像信号と、映像信号生成部１２４により生成された映像信号と、が混合処理された場合は、映像記録部１１６は、この混合処理の内容を信号処理特定情報として記録してもよい。
【０１２８】
なお、その他の構成要素の機能は、第１の実施形態と概略同様であるので、説明を省略する。
【０１２９】
（２−４−１−２．再生装置の構成）
次に、第４の実施形態による再生装置２０の構成について説明する。第４の実施形態による再生装置２０の構成は、第１の実施形態と概略同様である。従って、ここでは相違点を中心に説明する。
【０１３０】
映像再生部２００（再生部）は、上述した信号処理特定情報を記録媒体３０から読み出してもよい。さらに、映像再生部２００は、記録媒体３０から読み出される映像信号に環境状態に応じた信号処理が施されている場合、この信号処理特定情報に基づいて、映像信号から当該信号処理を取り除く機能を有してもよい。この機能を有する効果として、映像再生部２００は、記録媒体３０から読み出される映像信号に環境状態に応じた信号処理が施されている場合であっても、当該信号処理を取り除くことにより、信号処理前の映像信号だけを取り出すことが可能になる。
【０１３１】
（２−４−２．第４の実施形態による動作）
以上、第４の実施形態による構成について説明した。続いて、第４の実施形態による動作について説明する。なお、第４の実施形態による動作は、第１の実施形態と概略同様である。従って、ここでは図８を参照しながら、第１の実施形態との相違点を中心に説明する。
【０１３２】
最初に、記録装置１０の動作について説明する。なお、Ｓ１０１〜Ｓ１０３の動作は、第１の実施形態と同様である。
【０１３３】
Ｓ１０３の後、映像処理部１２６は、センサ部１０４により検知された環境状態に応じて、撮像した映像信号に信号処理を行う（Ｓ１０５）。より具体的には、映像処理部１２６は、以下の２種類のいずれかの方法により信号処理を行う。
【０１３４】
第１の方法では、まず、映像信号生成部１２４が、センサ部１０４により検知された環境状態に基づいて、上述した所定の生成方法により映像信号を生成する。そして、映像処理部１２６は、撮像素子１００により変換された映像信号と、映像信号生成部１２４により生成された映像信号と、を混合する。一方、第２の方法では、映像処理部１２６は、センサ部１０４により検知された環境状態に基づいて、撮像素子１００により変換された映像信号自体を、上述した所定の加工方法により加工する。
【０１３５】
続いて、記録装置１０は、信号処理後の映像信号、および音声信号を記録媒体３０に記録する（Ｓ１０７）。より具体的には、映像記録部１１６が、映像処理部１２６により信号処理を施された映像信号を記録媒体３０に記録するとともに、音声記録部１１８が、集音素子１０２により変換された音声信号を記録媒体３０に記録する。なお、映像記録部１１６は、上述した信号処理特定情報を記録媒体３０に記録してもよい。
【０１３６】
なお、記録装置１０が音声処理部１１４を有する変形例においては、音声記録部１１８は、音声処理部１１４により信号処理された音声信号を記録媒体３０に記録してもよい。
【０１３７】
次に、再生装置２０の動作について説明する。再生装置２０は、まず、記録媒体３０から信号処理後の映像信号および音声信号を読み出す（Ｓ１０９）。なお、映像再生部２００は、上述した信号処理特定情報を記録媒体３０から読み出してもよい。また、映像再生部２００は、記録媒体３０から読み出される映像信号に環境状態に応じた信号処理が施されている場合、この信号処理特定情報に基づいて、映像信号から当該信号処理を取り除いてもよい。
【０１３８】
なお、Ｓ１１１の動作は、第１の実施形態と同様であるので、説明を省略する。
【０１３９】
（２−４−３．第４の実施形態による効果）
以上説明したように、第４の実施形態によれば、記録装置１０は、撮像した映像信号に対して、映像信号の取得時に検知される、湿度や温度などの環境状態に応じた信号処理を施した後、信号処理後の映像信号を記録媒体３０に記録する。従って、コンテンツ再生時に、映像表現の種類や強弱を通して、コンテンツ記録時の環境状態をユーザに伝えることができる。
【０１４０】
また、第１の実施形態による他の効果に関しても、音声と映像との違いはあるものの、概略同様な効果が得られる。
【０１４１】
［２−５．第５の実施形態］
以上、第４の実施形態について説明した。次に第５の実施形態について説明する。後述するように、第５の実施形態によれば、再生装置２０は、記録媒体３０から読み出される映像信号に対して、記録媒体３０に記録された環境状態に応じた信号処理を施した後、出力することができる。
【０１４２】
（２−５−１−１．記録装置の構成）
第５の実施形態による記録装置１０の構成は、第２の実施形態と同様である。従って、ここでは説明を省略する。
【０１４３】
（２−５−１−２．再生装置の構成）
図１８は、第５の実施形態による再生装置２０の構成を示す機能ブロック図である。図１８に示したように、第５の実施形態による再生装置２０は、第２の実施形態と比較して、映像信号生成部２２４と映像処理部２２６（信号処理部）とを新たに含む。なお、図１８には図示していないが、第５の実施形態による再生装置２０は、音声信号生成部２１２と音声処理部２１４とを含んでもよい。
【０１４４】
映像信号生成部２２４は、センサ情報再生部２０８により読み出された環境状態に基づいて、所定の生成方法により映像信号を生成する。なお、所定の生成方法に関しては、上述した、第４の実施形態における映像信号生成部１２４による生成方法と同様であってもよい。
【０１４５】
映像処理部２２６は、例えば映像再生部２００により読み出される映像信号に対し、当該映像信号の取得時の環境状態に応じた映像処理を施す。
【０１４６】
より具体的には、映像処理部２２６は、例えば映像再生部２００により読み出される映像信号と、例えばセンサ情報再生部２０８により読み出される環境状態に基づいて生成される映像信号と、を混合してもよい。また、映像処理部２２６は、上記の環境状態に基づいて、例えば映像再生部２００により読み出される映像信号自体を、所定の加工方法により加工してもよい。なお、所定の加工方法に関しては、上述した、第４の実施形態における映像処理部１２６による加工方法と同様であってもよい。
【０１４７】
映像出力部２０４（出力部）は、映像処理部２２６により信号処理された映像信号を出力する。なお、その他の構成要素の機能は、第４の実施形態と同様であるので、説明を省略する。
【０１４８】
（２−５−２．第５の実施形態による動作）
以上、第５の実施形態による構成について説明した。続いて、第５の実施形態による動作について説明する。なお、第５の実施形態による動作は、第２の実施形態と概略同様である。従って、ここでは図１１を参照しながら、第２の実施形態との相違点を中心に説明する。
【０１４９】
記録装置１０の動作（Ｓ２０１〜Ｓ２０５）については、第２の実施形態と同様である。従って、ここでは説明を省略する。
【０１５０】
次に、再生装置２０の動作について説明する。なお、Ｓ２０７の動作は、第２の実施形態と同様である。
【０１５１】
Ｓ２０７の後、映像処理部２２６は、センサ情報再生部２０８により読み出された環境状態に応じて、映像再生部２００により読み出された映像信号に対して信号処理を施す（Ｓ２０９）。より具体的には、映像処理部２２６は、以下の２種類のいずれかの方法により信号処理を行う。
【０１５２】
第１の方法では、まず、映像信号生成部２２４が、センサ情報再生部２０８により読み出された環境状態に基づいて、上述した所定の生成方法により映像信号を生成する。そして、映像処理部２２６は、映像再生部２００により読み出された映像信号と、映像信号生成部２２４により生成された映像信号と、を混合する。一方、第２の方法では、映像処理部２２６は、センサ情報再生部２０８により読み出された環境状態に基づいて、映像再生部２００により読み出された映像信号自体を、上述した所定の加工方法により加工する。
【０１５３】
その後、再生装置２０は、映像および音声を出力する（Ｓ２１１）。より具体的には、映像出力部２０４が、映像処理部２２６により信号処理を施された映像信号を可視光に変換して、映像を出力するとともに、音声出力部２０６が、音声再生部２０２により読み出された音声信号を物理振動に変換して、音声を出力する。
【０１５４】
なお、再生装置２０が音声処理部２１４を有する変形例においては、音声出力部２０６は、音声処理部２１４により信号処理された音声信号を物理振動に変換して、音声を出力してもよい。
【０１５５】
（２−５−３．第５の実施形態による効果）
以上説明したように、第５の実施形態によれば、再生装置２０は、記録媒体３０から読み出される映像信号に対して、記録媒体３０から読み出される環境状態に応じた信号処理を施した後、信号処理後の映像信号を映像として出力する。従って、再生装置２０のユーザは、コンテンツ再生時の状況や気分に応じて、様々な映像信号処理方法を適用してコンテンツを再生することができ、楽しむことができる。
【０１５６】
また、第２の実施形態による他の効果に関しても、音声と映像との違いはあるものの、概略同様な効果が得られる。
【０１５７】
［２−６．第６の実施形態］
以上、第５の実施形態について説明した。次に第６の実施形態について説明する。後述するように、第６の実施形態によれば、記録時の環境状態だけでなく、再生時の環境状態も反映させて、映像表現の種類や強弱を変化させることができる。
【０１５８】
（２−６−１−１．記録装置の構成）
第６の実施形態による記録装置１０の構成は、第２の実施形態と同様である。従って、ここでは説明を省略する。
【０１５９】
（２−６−１−２．再生装置の構成）
図１９に示したように、第６の実施形態による再生装置２０は、第５の実施形態に含まれる構成要素に加えて、センサ部２１６（センサ）を有する。また、センサ部２１６は、湿度センサ２１８、温度センサ２２０、およびその他センサ２２２を有する。
【０１６０】
なお、センサ部２１６、湿度センサ２１８、温度センサ２２０、およびその他センサ２２２の機能は、それぞれ第３の実施形態と同様である。従って、ここでは説明を省略する。
【０１６１】
映像処理部２２６（信号処理部）は、センサ部２１６により検知された環境状態と、記録媒体３０から読み出される環境状態との差分に応じて映像信号に対して信号処理を施す。また、映像処理部２２６は、センサ部２１６により検知された環境状態と、記録媒体３０から読み出される環境状態とが一致または類似する場合は、映像信号に対して信号処理を施さない。
【０１６２】
なお、上述した映像処理部２２６の機能の詳細については後に説明する。また、その他の構成要素の機能は、第５の実施形態と同様であるので、説明を省略する。
【０１６３】
（２−６−２．第６の実施形態による動作）
以上、第６の実施形態による構成について説明した。続いて、第６の実施形態による動作について説明する。なお、第６の実施形態による動作は、第３の実施形態と概略同様である。従って、ここでは図１３または図１４を参照しながら、第３の実施形態との相違点を中心に説明する。
【０１６４】
記録装置１０の動作（Ｓ３０１〜Ｓ３０５）については、第３の実施形態と同様である。従って、ここでは説明を省略する。
【０１６５】
次に、再生装置２０の動作について説明する。なお、Ｓ３０７〜Ｓ３０９の動作は、第３の実施形態と同様である。
【０１６６】
Ｓ３０９の後、映像処理部２２６は、センサ部２１６により検知された環境状態と、記録媒体３０から読み出された環境状態との比較結果に基づいて、記録媒体３０から読み出された映像信号に対して信号処理を施す（Ｓ３１１）。
【０１６７】
ここで、図１４を参照して、Ｓ３１１における再生装置２０の動作についてより詳細に説明する。なお、Ｓ３１１における再生装置２０は、下記の２種類のうちいずれかの動作を行ってもよい。
【０１６８】
‐第１の動作‐
第１の動作では、図１４に示したように、まず、映像処理部２２６は、センサ部２１６により検知された環境状態と、センサ情報再生部２０８により読み出された環境状態との差分を算出し（Ｓ３５１）、差分があるか否かを判定する（Ｓ３５３）。または、映像処理部２２６は、センサ部２１６により検知された環境状態と、センサ情報再生部２０８により読み出された環境状態とを比較し（Ｓ３５１）、両者が類似しているか否かを判定してもよい（Ｓ３５３）。
【０１６９】
続いて、差分が算出された場合、または両者が類似していると判断された場合は（Ｓ３５３：Ｙｅｓ）、映像処理部２２６は、算出された差分に応じて、映像再生部２００により読み出された映像信号自体を、上述した所定の加工方法により加工する（Ｓ３５５）。一方、差分が算出されない場合、または両者が類似していないと判断された場合は（Ｓ３５３：Ｎｏ）、映像処理部２２６は、映像再生部２００により読み出された映像信号に対して信号処理を施さない。
【０１７０】
‐第２の動作‐
次に、第２の動作について説明する。第２の動作では、まず、映像信号生成部２２４は、センサ部２１６により検知された環境状態と、センサ情報再生部２０８により読み出された環境状態との差分を算出し（Ｓ３５１）、差分があるか否かを判定する（Ｓ３５３）。なお、映像信号生成部２２４は、センサ部２１６により検知された環境状態と、センサ情報再生部２０８により読み出された環境状態とを比較し（Ｓ３５１）、両者が類似しているか否かを判定してもよい（Ｓ３５３）。
【０１７１】
なお、Ｓ３５１〜Ｓ３５３における、差分の算出方法または比較方法に関しては、上述した第３の実施形態による方法と同様であってもよい。
【０１７２】
続いて、差分が算出された場合、または両者が類似していると判断された場合は（Ｓ３５３：Ｙｅｓ）、映像信号生成部２２４は、算出された差分に応じて、上述した所定の生成方法により映像信号を生成する。そして、映像処理部２２６は、映像再生部２００により読み出された映像信号と、映像信号生成部２２４により生成された映像信号と、を混合する（Ｓ３５５）。一方、差分が算出されない場合、または両者が類似していないと判断された場合は（Ｓ３５３：Ｎｏ）、映像処理部２２６は、映像再生部２００により読み出された映像信号に対して信号処理を施さない。
【０１７３】
以上、Ｓ３１１における再生装置２０の動作について説明した。次に、図１３を再度参照して、Ｓ３１１より後の動作について説明する。
【０１７４】
その後、再生装置２０は、第５の実施形態におけるＳ２１１と同様にして、映像および音声を出力する（Ｓ３１３）。
【０１７５】
（２−６−３．第６の実施形態による効果）
以上説明したように、第６の実施形態によれば、再生装置２０は、コンテンツ再生時に検知される環境状態と、記録媒体３０から読み出される環境状態との差分に基づいて、記録媒体３０から読み出される映像信号に対して信号処理を施す。そして、再生装置２０は、信号処理後の映像信号を映像として出力する。従って、記録時の環境状態だけでなく、再生時の環境状態も反映させて、映像表現の種類や強弱を変化させることができる。
【０１７６】
また、第３の実施形態による他の効果に関しても、音声と映像との違いはあるものの、概略同様な効果が得られる。
【０１７７】
＜３．まとめ＞
以上説明したように、本開示の各実施形態による記録装置１０または再生装置２０は、映像信号または音声信号に対し、当該映像信号または当該音声信号の取得時の環境状態に応じた信号処理を施す。このため、コンテンツ記録時の環境状態を安価に表現することができる。
【０１７８】
なお、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７９】
例えば、国や地域、季節、または人物（記録者または再生者）によって、記録装置１０または再生装置２０は、映像信号または音声信号に施す信号処理の種類や強弱を変化させてもよい。
【０１８０】
また、上述した各実施形態では、本開示が、ビデオカメラのような動画の記録装置または再生装置に適用される例について説明したが、本開示はかかる例に限定されず、音声専用のレコーダや音楽プレーヤなどに適用されてもよい。また、この変形例は、第１の実施形態から第３の実施形態において、映像系の信号パスを除いた構成として実現できる。
【０１８１】
なお、以下のような構成も本開示の技術的範囲に属する。
（１）
コンテンツ信号に対し、前記コンテンツ信号の取得時の環境状態に応じた信号処理を施す信号処理部、
を備える、信号処理装置。
（２）
前記環境状態は、湿度を含む、前記（１）に記載の信号処理装置。
（３）
前記環境状態は、温度、気圧、または風速に関する状態のうち少なくとも一つを含む、前記（１）または（２）に記載の信号処理装置。
（４）
前記信号処理部は、前記コンテンツ信号と、前記環境状態に基づいて生成されたコンテンツ信号と、を混合する、前記（１）〜（３）のいずれか一項に記載の信号処理装置。
（５）
前記信号処理部は、前記環境状態に基づいて、前記コンテンツ信号自体を加工する、前記（１）〜（３）のいずれか一項に記載の信号処理装置。
（６）
前記信号処理装置は、前記信号処理部により信号処理されたコンテンツ信号を記録媒体に記録する記録部をさらに備える、前記（１）〜（５）のいずれか一項に記載の信号処理装置。
（７）
前記記録部は、前記環境状態を示す情報を前記記録媒体に記録する、前記（６）に記載の信号処理装置。
（８）
前記記録部は、前記信号処理部により施された前記信号処理の内容を示す信号処理特定情報を前記記録媒体に記録する、前記（６）に記載の信号処理装置。
（９）
前記信号処理装置は、前記環境状態を検知するセンサをさらに備える、前記（６）または（７）に記載の信号処理装置。
（１０）
前記信号処理装置は、前記信号処理部により信号処理されたコンテンツ信号を出力する出力部をさらに備える、前記（１）〜（５）のいずれか一項に記載の信号処理装置。
（１１）
前記信号処理部は、記録媒体から読み出されるコンテンツ信号に対して、前記記録媒体から読み出される環境状態に応じた信号処理を施す、前記（１０）に記載の信号処理装置。
（１２）
前記信号処理装置は、前記信号処理の内容を示す信号処理特定情報を前記記録媒体から読み出す再生部をさらに備え、
前記再生部は、前記記録媒体から読み出されるコンテンツ信号に環境状態に応じた信号処理が施されている場合、前記信号処理特定情報に基づいて、前記コンテンツ信号から前記信号処理を取り除く機能を有する、前記（１０）に記載の信号処理装置。
（１３）
前記信号処理装置は、前記コンテンツ信号出力時における環境状態を検知するセンサをさらに備える、前記（１１）に記載の信号処理装置。
（１４）
前記信号処理部は、前記センサにより検知された環境状態と、前記記録媒体から読み出される環境状態との差分に応じて前記コンテンツ信号に対して前記信号処理を施す、前記（１３）に記載の信号処理装置。
（１５）
前記信号処理部は、前記センサにより検知された環境状態と、前記記録媒体から読み出される環境状態とが一致または類似する場合は、前記コンテンツ信号に対して信号処理を施さない、前記（１４）に記載の信号処理装置。
（１６）
前記コンテンツ信号は、映像信号または音声信号である、前記（１）〜（１４）のいずれか一項に記載の信号処理装置。
（１７）
コンテンツ信号に対し、前記コンテンツ信号の取得時の環境状態に応じた信号処理を施す信号処理部と、
前記信号処理部により前記信号処理されたコンテンツ信号を出力する出力部と、
を備える、信号処理システム。
（１８）
前記信号処理システムは、前記環境状態を検知するセンサをさらに備える、前記（１７）に記載の信号処理システム。
（１９）
コンテンツ信号に対し、前記コンテンツ信号の取得時の環境状態に応じた信号処理を施すこと、
を含む、信号処理方法。
（２０）
コンピュータを、
コンテンツ信号に対し、前記コンテンツ信号の取得時の環境状態に応じた信号処理を施す信号処理部、
として機能させるための、プログラム。
【符号の説明】
【０１８２】
１０  記録装置
１２  撮像素子
１４  集音素子
２０  再生装置
２２  ディスプレイ
２４  スピーカー
３０  記録媒体
１００  撮像素子
１０２  集音素子
１０４  センサ部
１０６  湿度センサ
１０８  温度センサ
１１０  その他センサ
１１２  音声信号生成部
１１６  映像記録部
１２０  センサ情報記録部
１２４  映像信号生成部
１２６  映像処理部
２００  映像再生部
２０２  音声再生部
２０４  映像出力部
２０６  音声出力部
２０８  センサ情報再生部
２１２  音声信号生成部
２１４  音声処理部
２１６  センサ部
２１８  湿度センサ
２２０  温度センサ
２２２  その他センサ
２２４  映像信号生成部
２２６  映像処理部
【図１】
2014036247.tif 000004
【図２】
2014036247.tif 000005
【図３】
2014036247.tif 000006
【図４】
2014036247.tif 000007
【図５】
2014036247.tif 000008
【図６】
2014036247.tif 000009
【図７】
2014036247.tif 000010
【図８】
2014036247.tif 000011
【図９】
2014036247.tif 000012
【図１０】
2014036247.tif 000013
【図１１】
2014036247.tif 000014
【図１２】
2014036247.tif 000015
【図１３】
2014036247.tif 000016
【図１４】
2014036247.tif 000017
【図１５】
2014036247.tif 000018
【図１６】
2014036247.tif 000019
【図１７】
2014036247.tif 000020
【図１８】
2014036247.tif 000021
【図１９】
2014036247.tif 000022